(57)【特許請求の範囲】
【請求項１】
ジメチルトリスルフィド、２−ノネナール、イソ吉草酸、ジメチルジスルフィド、アリルメチルスルフィド、及びアリルメルカプタン、の臭気ガス濃度を同時に減退させるための、１，４−シネオール、又は１，８−シネオールを成分とする消臭剤。
【発明の詳細な説明】
【技術分野】
【０００１】
本発明は、数種の悪臭の成分を同時に不活性化することのできる消臭剤に関するものである。
【背景技術】
【０００２】
生活空間における悪臭としては様々なものがある。悪臭は発生要因や成分が異なるので、例えばある悪臭成分を不活性化（例えば吸着除去して臭わなくする）しようとしても、およそ１種又は２種程度の同種あるいは同属の悪臭（成分）にしか対応できなかった。
【０００３】
このため、従来では、様々な悪臭に幅広く対処するために、いわゆるマスキング（より強く良い臭いを用いて悪臭を目立たなくする）効果に頼ったものが、例えば特開２００３−１９０２６４号公報（特許文献１）、特開２００３−１３７７５８号公報（特許文献２）など多数存在する。
【０００４】
しかしながら、これら従来の手法は、上記のとおり、マスキング効果によるものであったため、様々な悪臭に対して、それら悪臭が目立たなくなるようにより強い別の（良い）臭いで覆うことで対処しているに過ぎず、不活性化して根源を断っているわけではない。したがって、場合によっては、マスキング用の臭いと悪臭とが混ざり合ってより不快な臭いが生じる可能性がある。
【先行技術文献】
【特許文献】
【０００５】
【特許文献１】特開２００３−１９０２６４号公報
【特許文献２】特開２００３−１３７７５８号公報
【発明の概要】
【発明が解決しようとする課題】
【０００６】
解決しようとする問題は、従来では、数種の悪臭に対してはマスキングによって対処するしかないが、マスキングによって悪臭と混ざってより不快な臭いが生じる点である。
【課題を解決するための手段】
【０００７】
上記課題を解決する本発明の消臭剤は、ジメチルトリスルフィド、２−ノネナール、イソ吉草酸、ジメチルジスルフィド、アリルメチルスルフィド、及びアリルメルカプタン、の臭気ガス濃度を減退させるための、１，４−シネオール、又は１，８−シネオールを成分とするものである。
【発明の効果】
【０００８】
上記構成によれば、後述する実験結果のとおり、悪臭とされる気体（又はガス）の全てではないが、効果の高い順に、食品の混合臭でいわゆる沢庵臭の主成分、癌の患部から発生する臭いで日常生活空間とはやや離れるがいわゆる病院臭の主成分の一つとされる「ジメチルトリスルフィド」、胸部や頭部の臭いでいわゆる加齢臭の主成分とされる「２−ノネナール」、足裏の臭いでいわゆる（蒸れた）靴下臭の主成分とされる「イソ吉草酸」、呼気の臭いでいわゆる腐敗キャベツ臭の主成分とされる「ジメチルジスルフィド」、同じく呼気の臭いでいわゆるニンニク臭の主成分とされる「アリルメルカプタン」、「アリルメチルスルフィド」といった６種の悪臭源を不活性化することができ、幅広く対応させることができる。
【図面の簡単な説明】
【０００９】
【図１】図１はアンモニアに対する本発明の消臭効果を確認するために行った実験の結果を示す表である。
【図２】図２はトリメチルアミンに対する本発明の消臭効果を確認するために行った実験の結果を示す表である。
【図３】図３は酢酸に対する本発明の消臭効果を確認するために行った実験の結果を示す表である。
【図４】図４はイソ吉草酸に対する本発明の消臭効果を確認するために行った実験の結果を示す表である。
【図５】図５はアセトアルデヒドに対する本発明の消臭効果を確認するために行った実験の結果を示す表である。
【図６】図６は２−ノネナールに対する本発明の消臭効果を確認するために行った実験の結果を示す表である。
【図７】図７はアリルメルカプタンに対する本発明の消臭効果を確認するために行った実験の結果を示す表である。
【図８】図８はメチルメルカプタンに対する本発明の消臭効果を確認するために行った実験の結果を示す表である。
【図９】図９は硫化水素に対する本発明の消臭効果を確認するために行った実験の結果を示す表である。
【図１０】図１０はアリルメチルスルフィドに対する本発明の消臭効果を確認するために行った実験の結果を示す表である。
【図１１】図１１はジメチルジスルフィドに対する本発明の消臭効果を確認するために行った実験の結果を示す表である。
【図１２】図１２はジメチルトリスルフィドに対する本発明の消臭効果を確認するために行った実験の結果を示す表である。
【図１３】図１３は本発明の消臭効果を確認するために行った実験データをまとめた表である。
【図１４】図１４は本発明の効果を確認するために、その消臭効果を他の消臭物質（ワレモコウ抽出物および柿抽出物）と比較した実験結果をまとめた表である。
【発明を実施するための形態】
【００１０】
本発明の消臭剤は、数種の悪臭を同時に対処するという目的を、１，４−シネオール、又は１，８−シネオールを主原料とすることで達成した。
【００１１】
１，４−シネオールはアオモジ（Listsea cubeba(Lour.) Pers）の精油に含まれ、１，８−シネオールはユーカリ（Eucalyptus polybractea R.T. Baker）の精油に含まれている物質であり、清涼感のある香りを有し、一般的には鎮咳剤、（吸入剤として用いられることがある）抗ウイルス剤として使用され、人体への安全性は、低毒性、非刺激性、非感作性とされている。
【００１２】
したがって、例えば本発明の消臭剤を服用、口腔内噴霧、飲用等によって使用したとしても、その使用が適切であれば、人体の健康に大きな影響はないと思われる。なお、１，４−シネオール、１，８−シネオールは、それ自体に清涼感のある（樟脳のような）臭いを有するが、この臭いで悪臭がマスキングされているわけではない。この点について、以下に説明する実験によってその効果を説明する。
【実施例】
【００１３】
（対応可能な悪臭について）
実験は、１，８−シネオールを０，１ｇ、０，２ｇ、０，３ｇとしたサンプル１，２，３と、１，４−シネオール０，１ｇ、０，２ｇ、０，３ｇとしたサンプル４，５，６をそれぞれ挿入したフラスコに、各々、アンモニア、トリメチルアミン、酢酸、アセトアルデヒド、メチルメルカプタン、ジメチルトリスルフィド、アリルメルカプタン、アリルメチルスルフィド、２−ノネナール、イソ吉草酸、ジメチルジスルフィド、硫化水素を添加して密封し、１時間室温で静置後、ヘッドスペースガスを採取して、北川式ガス採取器ＡＰ−２０及びガスクロマトグラフィー（ＦＩＤ,ＦＰＤ）を用いて臭気ガス濃度を測定し、測定値から臭気濃度の減退率（％）を算出した。それぞれの結果を図１〜図１２に、この結果に対する結論を図１３に、それぞれ示す。
【００１４】
以上の結果（図１３）から、０．２ｇの１，８−シネオール及び１，４−シネオールを用いることで、実用消臭率を５０％以上とした場合、順に、ジメチルトリスルフィド（９５％）、２−ノネナール（９５％）、イソ吉草酸（７５％）、ジメチルジスルフィド（９０％）、アリルメチルスルフィド（８０％）、アリルメルカプタン（６５％）で、６種の悪臭に対して「不活性化」が可能であることが判明した。
【００１５】
（他の消臭成分との比較）
次に、０．１ｇの１，８−シネオール（上記サンプル１）、０．１ｇの１，４−シネオール（上記サンプル４）、及び２−ノネナールに対する消臭効果が高いとされる特開２０１１−１８３０１９号記載のワレモコウの抽出物０．１ｇ（比較例１）、アリルメチルスルフィドに対する消臭効果が高いとされる柿の抽出物０．１ｇ（比較例２）について、抽出物０．１ｇ（比較例２）の本願発明で不活性化が可能である、ジメチルトリスルフィド、２−ノネナール、イソ吉草酸、ジメチルジスルフィド、アリルメチルスルフィド、アリルメルカプタン（図１３の結果順）の６種に対する消臭効果を比較した。なお、実験手法は上記と同様である。この結果を図１４に示す。
【００１６】
比較例１では０．１ｇにおいてワレモコウ抽出物がイソ吉草酸に対して、本実験の実用消臭率の条件を満たすことが判明したほか、ワレモコウ抽出物は２−ノネナールよりもイソ吉草酸とアリルメルカプタンに対して消臭率が高いことが判明した。しかし、比較例１はワレモコウ抽出物は本願発明のサンプル１、４よりイソ吉草酸、２−ノネナールに対する消臭効果が劣っていることが、またワレモノコウ抽出物は比較例１では本願発明のサンプル４とアリルメルカプタンに対する消臭率は等しいことが判明した。
【００１７】
比較例２は０．１ｇであれば、柿抽出物はアリルメルカプタンとイソ吉草酸の２種類の悪臭ガスに対して、本実験の実用消臭率の条件を満たすことが判明した。しかし、比較例２では、本願発明のサンプル１，４は、柿抽出物よりアリルメチルスルフィドに対する消臭効果が優っていることが判明した。
【００１８】
以上の結果（図１４）から、０．１ｇの微量でも、１，４−シネオールは図１３に示した０．２ｇで実用消臭率の条件（消臭率５０％以上）を満たした６種のうち、アリルメルカプタンを除く５種について、１，８−シネオールは６種について、不活性化できることが判明した。一方、比較例１，２は、図１３に示した０．２ｇで実用消臭率の条件（消臭率５０％以上）を満たした６種のうち、それぞれ１種又は２種しか不活性化することができなかった。
【００１９】
このように、本発明は、１，４−シネオール又は１，８−シネオールいずれか一方で、ジメチルトリスルフィド、２−ノネナール、イソ吉草酸、ジメチルジスルフィド、アリルメチルスルフィド、アリルメルカプタンを主成分とする悪臭を同時に不活性化（消臭）することができると共に、従来の個々の悪臭を不活性化することができる成分と比較しても微量でも高い消臭効率があることが判明した。
【００２０】
また、H.Worthらは、文献J Asthma. 2012, 49(8):849-53.(Patients with asthma benefit from concomitant therapy with cineole: a placebo-controlled, double-blindtrial)において、喘息患者に２００ｍｇを１日３回、トータル６００ｍｇで半年間投与を続ける臨床試験を行っているが副作用はないようである、また、Xu. Jらは、文献Int J Clin Exp Pathol. 2014, 15;7(4):1495-501.(Acute and subacute toxicity study of 1,8-cineole in mice.)において、マウスを使った急性毒性試験ではLD50が３８４９ｍｇ／ｋｇで毒性は非常に低いと、報告しており、これらに基づけば本発明の消臭剤は、（１，４−シネオール又は１，８−シネオール）シネオールを主成分としているので、適切な容量・用法に基づく、例えば生活空間に噴霧したり、口腔内に噴霧したり、服用又は飲用しても人体に悪影響は低いと思われ、安全かつ（生活空間の）幅広い悪臭についての消臭が期待できる。
【図１】
0006342382.tif 000002
【図２】
0006342382.tif 000003
【図３】
0006342382.tif 000004
【図４】
0006342382.tif 000005
【図５】
0006342382.tif 000006
【図６】
0006342382.tif 000007
【図７】
0006342382.tif 000008
【図８】
0006342382.tif 000009
【図９】
0006342382.tif 000010
【図１０】
0006342382.tif 000011
【図１１】
0006342382.tif 000012
【図１２】
0006342382.tif 000013
【図１３】
0006342382.tif 000014
【図１４】
0006342382.tif 000015